【手続補正書】
【提出日】平成23年7月13日(2011.7.13)
【手続補正１】
【補正対象書類名】特許請求の範囲
【補正対象項目名】請求項１
【補正方法】変更
【補正の内容】
【請求項１】
近赤外線不活性有機もしくは無機基体を製造する方法であって、式
【化１】
2010534726.tif 000001
のビス−オキソジヒドロインドリレン−ベンゾジフラノン着色剤、またはその異性体もしくは互変異性体、好ましくは式（Ｉａ）もしくは（Ｉｂ）の顔料またはその異性体もしくは互変異性体を含む組成物を基体中に組み込むか、または基体の表面上に適用することを含み、ここで、式（Ｉａ）もしくは（Ｉｂ）のビス−オキソジヒドロインドリレン−ベンゾジフラノン着色剤またはその異性体もしくは互変異性体が、平均サイズ≦０．５μｍまたは平均サイズ＞０．５μｍおよび厚さ≧０．４μｍを有し、反射性有機もしくは無機基体に対して≧２０％の赤外線反射率を付与するか、透明有機もしくは無機基体に対して≧３０％の赤外線透過率を付与するか、または半透明有機もしくは無機基体に対して≧２５％の赤外線反射率と透過率の組み合わせを付与する（それぞれ８５０〜１６００ｎｍの波長で）ために有効な量で、組成物中に十分に分散された粒子の形態であり、式（Ｉａ）および（Ｉｂ）において、
Ｒ1およびＲ6は、それぞれ他と独立して、Ｈ、ＣＨ3、ＣＦ3、ＦまたはＣｌ、好ましくはＨまたはＦ、最も好ましくはＨであり；
Ｒ2、Ｒ3、Ｒ4、Ｒ5、Ｒ7、Ｒ8、Ｒ9およびＲ10は、それぞれ他の全てと独立して、Ｈ、ハロゲン、Ｒ11、ＣＯＯＨ、ＣＯＯＲ11、ＣＯＯ-、ＣＯＮＨ2、ＣＯＮＨＲ11、ＣＯＮＲ11ＲＩ2、ＣＮ、ＯＨ、ＯＲ11、ＯＯＣＲ11、ＯＯＣＮＨ2、ＯＯＣＮＨＲ11、ＯＯＣＮＲ11Ｒ12、ＮＯ2、ＮＨ2、ＮＨＲ11、ＮＲ11Ｒ12、ＮＨＣＯＲ12、ＮＲ11ＣＯＲ12、Ｎ＝ＣＨ2、Ｎ＝ＣＨＲ11、Ｎ＝ＣＲ11Ｒ12、ＳＨ、ＳＲ11、ＳＯＲ11、ＳＯ2Ｒ11、ＳＯ3Ｒ11、ＳＯ3Ｈ、ＳＯ3-、ＳＯ2ＮＨ2、ＳＯ2ＮＨＲ11またはＳＯ2ＮＲ11Ｒ12であり；これによって、Ｒ2およびＲ3、Ｒ3およびＲ4、Ｒ4およびＲ5、Ｒ7およびＲ8、Ｒ8およびＲ9、および／またはＲ9およびＲ10は場合によって、直接結合またはＯ、Ｓ、ＮＨもしくはＮＲ11架橋によって結合してもよく；
Ｒ11およびＲ12は、それぞれ他と独立して、Ｃ1−Ｃ12アルキル、Ｃ1−Ｃ12シクロアルキル、Ｃ1−Ｃ12アルケニル、Ｃ1−Ｃ12シクロアルケニルまたはＣ1−Ｃ12アルキニルであり、それぞれは連続しているか、またはＯ、ＮＨ、ＮＲ13および／またはＳによって、２以上のフラグメントに分断され、各フラグメントは、少なくとも２個のＣ原子を含み、そのそれぞれは、置換されていないか、またはＣＯＯＨ、ＣＯＯＲ13、ＣＯＯ-、ＣＯＮＨ2、ＣＯＮＨＲ13、ＣＯＮＲ13Ｒ14、ＣＮ、Ｏ、ＯＨ、ＯＲ13、ＯＯＣＲ13、ＯＯＣＮＨ2、ＯＯＣＮＨＲ13、ＯＯＣＮＲ13Ｒ14、ＮＲ13、ＮＨ2、ＮＨＲ13、ＮＲ13Ｒ14、ＮＨＣＯＲ14、ＮＲ13ＣＯＲ14、Ｎ＝ＣＨ2、Ｎ＝ＣＨＲ13、Ｎ＝ＣＲ13Ｒ14、ＳＨ、ＳＲ13、ＳＯＲ13、ＳＯ2Ｒ13、ＳＯ3Ｒ13、ＳＯ3Ｈ、ＳＯ3-、ＳＯ2ＮＨ2、ＳＯ2ＮＨＲ13、ＳＯ2ＮＲ13Ｒ14もしくはハロゲンで１回以上置換されているか；
あるいはＣ7−Ｃ12アラルキル、Ｃ1−Ｃ11ヘテロアリールもしくはＣ6−Ｃ12アリールであり、そのそれぞれは、置換されていないか、またはＣＯＯＨ、ＣＯＯＲ13、ＣＯＯ-、ＣＯＮＨ2、ＣＯＮＨＲ13、ＣＯＮＲ13Ｒ14、ＣＮ、ＯＨ、ＯＲ13、ＯＯＣＲ13、ＯＯＣＮＨ2、ＯＯＣＮＨＲ13、ＯＯＣＮＲ13Ｒ14、ＮＯ2、ＮＨ2、ＮＨＲ13、ＮＲ13Ｒ14、ＮＨＣＯＲ14、ＮＲ13ＣＯＲ14、Ｎ＝ＣＨ2、Ｎ＝ＣＨＲ13、Ｎ＝ＣＲ13Ｒ14、ＳＨ、ＳＲ13、ＳＯＲ13、ＳＯ2Ｒ13、ＳＯ3Ｒ13、ＳＯ3Ｈ、ＳＯ3-、ＳＯ2ＮＨ2、ＳＯ2ＮＨＲ13、ＳＯ2ＮＲ13Ｒ14もしくはハロゲンで１回以上置換され；そして
各Ｒ13もしくはＲ14は、任意の他のＲ13もしくはＲ14と独立して、Ｃ1−Ｃ6アルキル、ベンジルもしくはフェニルであり、そのそれぞれは、置換されていないか、もしくは前段落で定義された置換基で１回以上置換され（ただし、Ｒ13およびＲ14の任意の置換基中の合計原子数は１〜８であるとする）；これによって、全てのＲ13およびＲ14からなる群から選択される置換基対は、場合によって、直接結合またはＯ、Ｓ、ＮＨもしくはＮＲ11架橋によって結合して環を形成する、近赤外線不活性有機もしくは無機基体を製造する方法。
【手続補正２】
【補正対象書類名】特許請求の範囲
【補正対象項目名】請求項４
【補正方法】変更
【補正の内容】
【請求項４】
有機もしくは無機基体、好ましくはポリマー基体、最も好適には熱可塑性ポリマー、エラストマーポリマー、架橋ポリマーもしくはもともと架橋したポリマー、および、有機もしくは無機基体に、≧２０％の赤外線反射率、≧３０％の赤外線透過率、または≧２５％の赤外線反射率および透過率の組み合わせ（それぞれ、８５０〜１６００ｎｍの波長で）を付与するために有効な量で、式
【化２】
2010534726.tif 000002
のビス−オキソ−ジヒドロインドリレン−ベンゾジフラノン着色剤またはその異性体もしくは互変異性体、好ましくは式（Ｉａ）もしくは（Ｉｂ）の顔料またはその異性体もしくは互変異性体（ここで、式（Ｉａ）もしくは（Ｉｂ）のビス−オキソジヒドロインドリレン−ベンゾジフラノン着色剤またはその異性体もしくは互変異性体は、平均サイズ≦０．５μｍまたは平均サイズ＞０．５μｍおよび厚さ≧０．４μｍを有し、組成物中に十分に分散された粒子の形態である）を、反射性有機もしくは無機基体に対して≧２０％の赤外線反射率、透明な有機もしくは無機基体に対して≧３０％の赤外線透過率、または半透明有機もしくは無機基体に対して≧２５％の赤外線反射率および透過率の組み合わせ（それぞれ、８５０〜１６００ｎｍの波長）を付与するために十分な量で含む近赤外線不活性組成物もしくは物品であって、式（Ｉａ）および（Ｉｂ）中、
Ｒ1およびＲ6は、それぞれ互いに独立して、Ｈ、ＣＨ3、ＣＦ3、ＦもしくはＣｌ、好ましくはＨもしくはＦ、最も好ましくはＨであり；
Ｒ2、Ｒ3、Ｒ4、Ｒ5、Ｒ7、Ｒ8、Ｒ9およびＲ10はそれぞれ他の全てと独立して、Ｈ、ハロゲン、Ｒ11、ＣＯＯＨ、ＣＯＯＲ11、ＣＯＯ-、ＣＯＮＨ2、ＣＯＮＨＲ11、ＣＯＮＲ11Ｒ12、ＣＮ、ＯＨ、ＯＲ11、ＯＯＣＲ11、ＯＯＣＮＨ2、ＯＯＣＮＨＲ11、ＯＯＣＮＲ11Ｒ12、ＮＯ2、ＮＨ2、ＮＨＲ11、ＮＲ11Ｒ12、ＮＨＣＯＲ12、ＮＲ11ＣＯＲ12、Ｎ＝ＣＨ2、Ｎ＝ＣＨＲ11、Ｎ＝ＣＲ11Ｒ12、ＳＨ、ＳＲ11、ＳＯＲ11、ＳＯ2Ｒ11、ＳＯ3Ｒ11、ＳＯ3Ｈ、ＳＯ3-、ＳＯ2ＮＨ2、ＳＯ2ＮＨＲ11もしくはＳＯ2ＮＲ11Ｒ12であり；これによって、Ｒ2およびＲ3、Ｒ3およびＲ4、Ｒ4およびＲ5、Ｒ7およびＲ8、Ｒ8およびＲ9、および／またはＲ9およびＲ10は、場合によって、直接結合またはＯ、Ｓ、ＮＨもしくはＮＲ11架橋によって結合させることができ；
Ｒ11およびＲ12は、それぞれ互いに独立して、Ｃ1−Ｃ12アルキル、Ｃ1−Ｃ12シクロアルキル、Ｃ1−Ｃ12アルケニル、Ｃ1−Ｃ12シクロアルケニルもしくはＣ1−Ｃ12アルキニルであり、そのそれぞれは、連続しているか、またはＯ、ＮＨ、ＮＲ13および／またはＳによって２以上のフラグメントに分断され、各フラグメントは少なくとも２個のＣ原子を含み、そのそれぞれは、置換されていないか、またはＣＯＯＨ、ＣＯＯＲ13、ＣＯＯ-、ＣＯＮＨ2、ＣＯＮＨＲ13、ＣＯＮＲ13Ｒ14、ＣＮ、Ｏ、ＯＨ、ＯＲ13、ＯＯＣＲ13、ＯＯＣＮＨ2、ＯＯＣＮＨＲ13、ＯＯＣＮＲ13Ｒ14、ＮＲ13、ＮＨ2、ＮＨＲ13、ＮＲ13Ｒ14、ＮＨＣＯＲ14、ＮＲ13ＣＯＲ14、Ｎ＝ＣＨ2、Ｎ＝ＣＨＲ13、Ｎ＝ＣＲ13Ｒ14、ＳＨ、ＳＲ13、ＳＯＲ13、ＳＯ2Ｒ13、ＳＯ3Ｒ13、ＳＯ3Ｈ、ＳＯ3-、ＳＯ2ＮＨ2、ＳＯ2ＮＨＲ13、ＳＯ2ＮＲ13Ｒ14もしくはハロゲンで１回以上置換されているか；
あるいはＣ7−Ｃ12アラルキル、Ｃ1−Ｃ11ヘテロアリールもしくはＣ6−Ｃ12アリールであり、そのそれぞれは、置換されていないか、またはＣＯＯＨ、ＣＯＯＲ13、ＣＯＯ-、ＣＯＮＨ2、ＣＯＮＨＲ13、ＣＯＮＲ13Ｒ14、ＣＮ、ＯＨ、ＯＲ13、ＯＯＣＲ13、ＯＯＣＮＨ2、ＯＯＣＮＨＲ13、ＯＯＣＮＲ13Ｒ14、ＮＯ2、ＮＨ2、ＮＨＲ13、ＮＲ13Ｒ14、ＮＨＣＯＲ14、ＮＲ13ＣＯＲ14、Ｎ＝ＣＨ2、Ｎ＝ＣＨＲ13、Ｎ＝ＣＲ13Ｒ14、ＳＨ、ＳＲ13、ＳＯＲ13、ＳＯ2Ｒ13、ＳＯ3Ｒ13、ＳＯ3Ｈ、ＳＯ3-、ＳＯ2ＮＨ2、ＳＯ2ＮＨＲ13、ＳＯ2ＮＲ13Ｒ14もしくはハロゲンで１回以上置換されており；そして
各Ｒ13もしくはＲ13は、任意の他のＲ13もしくはＲ14と独立して、Ｃ1−Ｃ6アルキル、ベンジルもしくはフェニルであり、そのそれぞれは、置換されていないか、または前段落で定義した置換基で１回以上置換され（ただし、Ｒ13およびＲ14の任意の置換基中の合計原子数は１〜８であるとする）；これによって、全てのＲ13およびＲ14からなる群から選択される置換基の対は、場合によって直接結合またはＯ、Ｓ、ＮＨもしくはＮＲ11架橋によって結合して環を形成する、近赤外線不活性組成物もしくは物品。
【手続補正３】
【補正対象書類名】特許請求の範囲
【補正対象項目名】請求項１４
【補正方法】変更
【補正の内容】
【請求項１４】
物品をレーザー溶接するための方法であって、請求項１に記載の式（Ｉａ）もしくは（Ｉｂ）のビスオキソジヒドロインドリレン−ベンゾ−ジフラノン着色剤、またはその異性体もしくは互変異性体、好ましくは式（Ｉａ）もしくは（Ｉｂ）の顔料またはその異性体もしくは互変異性体を、近赤外線吸収物質を含む融解可能な基体の表面と接触しているポリマー組成物中に組み込み、次いで、好ましくは７００〜２０００ｎｍの範囲の波長のレーザーからの近赤外線放射線を、式（Ｉａ）もしくは（Ｉｂ）の着色剤を含む層を通って下にある基体まで通過させて、照射点で２つの物質を合わせて融解させるために十分な熱を発生させる、物品をレーザー溶接するための方法。
【手続補正４】
【補正対象書類名】明細書
【補正対象項目名】００１５
【補正方法】変更
【補正の内容】
【００１５】
近赤外線不活性有機もしくは無機基体を製造するための方法が提供され、この方法は、式
【化４】
2010534726.tif 000003
のビス−オキソジヒドロインドリレン−ベンゾジフラノン着色剤またはその異性体もしくは互変異性体、好ましくは式（Ｉａ）もしくは（Ｉｂ）の顔料またはその異性体もしくは互変異性体を含む組成物を基体中に組み込むか、または基体上に適用することを含み、ここで、式（Ｉａ）もしくは（Ｉｂ）のビス−オキソジヒドロインドリレン−ベンゾジフラノン着色剤またはその異性体もしくは互変異性体は、≦０．５μｍの平均サイズもしくは＞０．５μｍの平均サイズおよび≧０．４μｍの厚さの粒子であって、組成物中に、十分分散された粒子の形態で、反射性有機もしくは無機基体に、≧２０％の赤外線反射率、透明有機もしくは無機基体に≧３０％の赤外線透過率、または半透明有機もしくは無機基体に≧２５％の赤外点反射率および透過率の組み合わせ（それぞれ８５０〜１６００ｎｍの波長）を付与するために十分な量であり、式（Ｉａ）および（Ｉｂ）中、
Ｒ1およびＲ6は、それぞれ他と独立して、Ｈ、ＣＨ3、ＣＦ3、ＦまたはＣｌ、好ましくはＨもしくはＦ、最も好ましくはＨであり；
Ｒ2、Ｒ3、Ｒ4、Ｒ5、Ｒ7、Ｒ8、Ｒ9およびＲ10は、それぞれ他の全てと独立して、Ｈ、ハロゲン、Ｒ11、ＣＯＯＨ、ＣＯＯＲ11、ＣＯＯ-、ＣＯＮＨ2、ＣＯＮＨＲ11、ＣＯＮＲ11ＲＩ2、ＣＮ、ＯＨ、ＯＲ11、ＯＯＣＲ11、ＯＯＣＮＨ2、ＯＯＣＮＨＲ11、ＯＯＣＮＲ11Ｒ12、ＮＯ2、ＮＨ2、ＮＨＲ11、ＮＲ11Ｒ12、ＮＨＣＯＲ12、ＮＲ11ＣＯＲ12、Ｎ＝ＣＨ2、Ｎ＝ＣＨＲ11、Ｎ＝ＣＲ11Ｒ12、ＳＨ、ＳＲ11、ＳＯＲ11、ＳＯ2Ｒ11、ＳＯ3Ｒ11、ＳＯ3Ｈ、ＳＯ3-、ＳＯ2ＮＨ2、ＳＯ2ＮＨＲ11またはＳＯ2ＮＲ１１Ｒ12であり；これによって、Ｒ2およびＲ3、Ｒ3およびＲ4、Ｒ4およびＲ5、Ｒ7およびＲ8、Ｒ8およびＲ9、および／またはＲ9およびＲ10は、場合によって、直接結合またはＯ、Ｓ、ＮＨもしくはＮＲ11架橋によって結合させることができ；
Ｒ11およびＲ12は、それぞれ他と独立して、Ｃ1−Ｃ12アルキル、Ｃ1−Ｃ12シクロアルキル、Ｃ1−Ｃ12アルケニル、Ｃ1−Ｃ12シクロアルケニルまたはＣ1−Ｃ12アルキニル（それぞれは、連続しているか、またはＯ、ＮＨ、ＮＲ13および／またはＳによって、それぞれが少なくとも２個のＣ原子を含む２以上のフラグメントに分断され、そのそれぞれはさらに、置換されていないか、またはＣＯＯＨ、ＣＯＯＲ13、ＣＯＯ-、ＣＯＮＨ2、ＣＯＮＨＲ13、ＣＯＮＲＲ13Ｒ14、ＣＮ、Ｏ、ＯＨ、ＯＲ13、ＯＯＣＲ13、ＯＯＣＮＨ2、ＯＯＣＮＨＲ13、ＯＯＣＮＲ13Ｒ14、ＮＲ13、ＮＨ2、ＮＨＲ13、ＮＲ13Ｒ14、ＮＨＣＯＲ14、ＮＲ13ＣＯＲ14、Ｎ＝ＣＨ2、Ｎ＝ＣＨＲ13、Ｎ＝ＣＲ13Ｒ14、ＳＨ、ＳＲ13、ＳＯＲ13、ＳＯ2Ｒ13、ＳＯ3Ｒ13、ＳＯ3Ｈ、ＳＯ3-、ＳＯ2ＮＨ2、ＳＯ2ＮＨＲ13、ＳＯ2ＮＲ13Ｒ14またはハロゲンで１回以上置換されている）；あるいはＣ7−Ｃ12アラルキル、Ｃ1−Ｃ11ヘテロアリールまたはＣ6−Ｃ12アリール（それぞれは、置換されていないか、またはＣＯＯＨ、ＣＯＯＲ13、ＣＯＯ-、ＣＯＮＨ2、ＣＯＮＨＲ13、ＣＯＮＲ13Ｒ14、ＣＮ、ＯＨ、ＯＲ13、ＯＯＣＲ13、ＯＯＣＮＨ2、ＯＯＣＮＨＲ13、ＯＯＣＮＲ13Ｒ14、ＮＯ2、ＮＨ2、ＮＨＲ13、ＮＲ13Ｒ14、ＮＨＣＯＲ14、ＮＲ13ＣＯＲ14、Ｎ＝ＣＨ2、Ｎ＝ＣＨＲ13、Ｎ＝ＣＲ13Ｒ14、ＳＨ、ＳＲ13、ＳＯＲ13、ＳＯ2Ｒ13、ＳＯ3Ｒ13、ＳＯ3Ｈ、ＳＯ3-、ＳＯ2ＮＨ2、ＳＯ2ＮＨＲ13、ＳＯ2ＮＲ13Ｒ14もしくはハロゲンで１回以上置換されている）；そして
各Ｒ13またはＲ14は、他のＲ13またはＲ14のいずれかと独立して、Ｃ1−Ｃ6アルキル、ベンジルはフェニルであり、そのそれぞれは、置換されていないか、または前段落で定義したような置換基で１回以上置換されている。ただし、Ｒ13およびＲ14の任意の置換基中の原子の合計数は１〜８であり；これによって、全てのＲ13およびＲ14からなる群から選択される置換基対は、場合によって、直接結合またはＯ、Ｓ、ＮＨもしくはＮＲ11架橋によって結合して、環を形成することができる。
【手続補正５】
【補正対象書類名】明細書
【補正対象項目名】０１２８
【補正方法】変更
【補正の内容】
【０１２８】
本発明のさらなる実施形態は、層状物品をレーザー溶接するための方法であって、式（Ｉａ）もしくは（Ｉｂ）のビス−オキソジヒドロインドリレン−ベンゾジフラノン着色剤を、ＮＩＲ吸収物質、たとえばカーボンブラック着色ポリマーを含む融解可能な基体の表面、好ましくはポリマー基体の表面と接触しているポリマー組成物中に組み込み、次に、レーザーからなどのＮＩＲ放射線を、本発明の顔料を含む層を通って下にあるＮＩＲ吸収物質へと通過させて、照射点で「レーザー溶接」に十分な熱を発生させる、すなわち２つの物質を一緒に融解させる方法も提供する。